(57)【要約】【課題】架空配電線への取り付け作業を１人で行うことができ、また、取り付ける電線の長さに応じて長さを調節することが可能な伸縮式絶縁防護具を提供する。また、架空配電線の絶縁防護に寄与しない余長分について、余長処理を容易に行えるようにする。【解決手段】伸縮式絶縁防護具１を、同方向に延設されて互いに対峙する絶縁性の一対のシート部材２，３と、一対のクリップ４，５とを有して構成する。一対のシート部材２，３のそれぞれの一端部に、一方のクリップ４の対をなす挟持部を固定する第1のクリップ装着部１０を設け、それぞれの他端部に、他方のクリップ５の対をなす挟持部を固定する第2のクリップ装着部２０を設け、それぞれのシート部材２，３を、幾重にも折り重なる折畳片２ａ，３ａを連結して構成し、それぞれの折畳片２ａ，３ａに隣り合う折畳片同士を吸着する磁石６を設ける。【選択図】  図１
2013192304.tif 000002
【特許請求の範囲】
【請求項１】
同方向に延設されて互いに対峙する絶縁性の一対のシート部材と、
間に介在される被挟持物を挟み込む挟持力が常時付勢された対をなす挟持部を備える一対のクリップとを有し、
前記一対のシート部材のそれぞれの一端部に、一方の前記クリップの対をなす挟持部を固定する第１のクリップ装着部を設け、
前記一対のシート部材のそれぞれの他端部に、他方の前記クリップの対をなす挟持部を固定する第２のクリップ装着部を設け、
それぞれの前記シート部材を、前記第１のクリップ装着部から前記第２のクリップ装着部にかけて幾重にも折り重なる折畳片を連結して構成し、それぞれの折畳片に隣り合う折畳片同士を吸着する磁石を付設したことを特徴とする伸縮式絶縁防護具。
【請求項２】
前記一対のシート部材のそれぞれの側縁には、前記クリップの前記対をなす挟持部の基端側の側縁間に延出するヒダが設けられていることを特徴とする請求項１記載の伸縮式絶縁防護具。
【請求項３】
前記一対のクリップは、伸縮可能な絶縁性の伸縮棒によって連結されていることを特徴とする請求項１又は２記載の伸縮式絶縁防護具。
【請求項４】
前記伸縮棒は、それぞれの前記クリップの対をなす挟持部の回動中心に取り付けられると共に、断面矩形に形成され、前記一対のシート部材の前記対をなす挟持部の連結部に近い側の側縁間を塞ぐように取り付けられていることを特徴とする請求項３記載の伸縮式絶縁防護具。
【請求項５】
前記クリップ装着部は、前記シート部材に設けられて前記クリップの挟持部を挿着する筒状体であることを特徴とする請求項１乃至４のいずれかに記載の伸縮式絶縁防護具。
【発明の詳細な説明】
【技術分野】
【０００１】
この発明は、配電設備の引下げ線や架線などの架空配電線に取り付けられて、活線工法による作業時の感電、短絡事故などを有効に防止する伸縮式絶縁防護具に関する。
【背景技術】
【０００２】
従来より架空配電線などの配電設備を工事する際には、電線が通電した状態において工事を行う活線工法が採用されているが、このような作業においては、絶縁シートを架空配電線の所要箇所に予め被覆させておくことで、作業者が作業中に感電したり、誤って短絡させたりするなどの不測の事故の発生を防止するようにしている。
【０００３】
たとえば、図８に示すように、高圧架空線１００より分岐して下方のトランス１０１などに接続させる高圧引下げ線１０２おいては、引下線コネクタ１０３の取り付け、取り外し作業の際に、３線あるうちの中線のみに絶縁防護具（絶縁シート）１０４を取り付ける場合が多く、所要の幅と長さを備えた絶縁シート１０４を引下げ線１０２に沿った仮想線で折り畳んで引下げ線１０２を挟み込み、その後、絶縁シート１０４の両端部（上下端部）をクリップ１０５で挟持することで絶縁シート１０４を引下げ線１０２に固定するようにしている（特許文献１等参照）。
【先行技術文献】
【特許文献】
【０００４】
【特許文献１】特開平１０―２７１６２８号公報
【発明の開示】
【発明が解決しようとする課題】
【０００５】
しかしながら、上述のような絶縁防護具（絶縁シート）においては、取り付ける電線の長さに応じて、シートの長さを使い分ける必要があり、絶縁シートが長い場合には、複数人によって取り付け作業を行わなければならなくなるため作業が煩雑化すると共に、防護具自体を落下させてしまうなどの不都合もある。また、電線の長さが長い場合には、シートの長さが足りず、同図に示されるように、複数枚のシートを重ねて取り付けなければならなくなり、シートを重ねて取り付ける場合においては、隣り合うシート間に隙間ができて確実な絶縁性を確保することができなくなる不都合が懸念される。
【０００６】
この場合、長い絶縁シートで全ての長さの電線に対応することも考えられるが、長い絶縁シートを短い電線に用いた場合には、余長が生じ、別途、余長処理が必要になるものであり、余長をうまく処理できない場合には、見栄えが悪いのみならず、活線作業の邪魔になるものであった。
【０００７】
本発明は、係る事情に鑑みてなされたものであり、架空配電線への防護具の取り付け作業を１人でも行うことができ、また、取り付ける電線の長さに応じて長さを調節することが可能な伸縮式絶縁防護具を提供することを主たる課題としている。
また、架空配電線の絶縁防護に寄与しない余長分については、格別な余長処理を必要とすることなく容易にまとめることができる伸縮式絶縁防護具を提供することをも課題としている。
【課題を解決するための手段】
【０００８】
上記課題を達成するために、本発明にかかる伸縮式絶縁防護具は、同方向に延設されて互いに対峙する絶縁性の一対のシート部材と、間に介在される被挟持物を挟み込む挟持力が常時付勢された対をなす挟持部を備える一対のクリップとを有し、前記一対のシート部材のそれぞれの一端部に、一方の前記クリップの対をなす挟持部を固定する第１のクリップ装着部を設け、前記一対のシート部材のそれぞれの他端部に、他方の前記クリップの対をなす挟持部を固定する第２のクリップ装着部を設け、それぞれの前記シート部材を、前記第１のクリップ装着部から前記第２のクリップ装着部にかけて幾重にも折り重なる折畳片を連結して構成し、それぞれの折畳片に隣り合う折畳片同士を吸着する磁石を付設したことを特徴としている。
【０００９】
このため、このような絶縁防護具を架空配電線の所要箇所に取り付ける場合には、絶縁防護具を隣り合う折畳片同士を磁石により吸着させて縮めた状態にしておき、この状態で一対のクリップを広げて一対のシート部材により架空配電線の周囲を覆うように取り付け、絶縁防護具で覆いたい箇所の一端側に寄せて一対のシート部材の両端部をクリップによって架空配電線と共に挟持しておく。その後、架空配電線の絶縁防護具で覆いたい側（シート部材の伸ばしたい側）のクリップを開いて固定状態を解除し、そのままクリップを架空配電線に沿って防護したい部分を覆うように移動させて、シート部材を伸長させる。そして、所望の長さに達した段階で、開いていたクリップを閉じてシート部材の端部を電線と共に挟持すれば架空配電線の所望の範囲を覆うことが可能となる。
【００１０】
このため、伸ばしたい側のクリップの移動量を調節することで、架空配電線の覆いたい範囲を容易に調節することができるので、防具の取り付け作業を一人でも行うことが可能となり、また、絶縁が必要となる電線の長さに応じてシート部材の伸長量を調節できるので、絶縁防護具が電線の長さに依存することがなくなる。
また、架空配電線の絶縁防護に寄与しない余長分が生じた場合でも、余長部分の折畳片を磁石で吸着させてまとめることができるので、余長処理を容易に行うことが可能となる。
【００１１】
ここで、前記一対のシート部材のそれぞれの側縁に、前記クリップの対をなす挟持部の基端側の側縁間に延出するヒダを設けるようにするとよい。このような構成によれば、一対のシート部材間の挟持部の基端側に近い側縁間がヒダで塞がれるので、電線がシート部材の隙間から表出して導電物に接触する恐れがなくなる。
【００１２】
また、前記一対のクリップは、伸縮可能な絶縁性の伸縮棒によって連結される構成としてもよい。このような構成とすれば、クリップの移動方向を安定させることができ、シート部材のスムーズな伸縮が可能となる。
【００１３】
ここで、伸縮棒は、それぞれの前記クリップの対をなす挟持部の回動中心に取り付けられると共に、断面矩形に形成され、前記一対のシート部材の前記対をなす挟持部の連結部に近い側の側縁間を塞ぐように取り付けられることが好ましい。このような構成を採用すれば、あえて上述したヒダを形成しなくてもクリップの回動中心側のシート部材間の隙間を伸縮棒によって閉塞することができるので、挟み込んだ電線と間接活線工具などとの接触を防ぐことが可能となる。
【００１４】
なお、上述のクリップ装着部は、前記シート部材に固定されて前記クリップの挟持部を挿入する筒状体で構成するようにしてもよい。このような構成によれば、クリップを容易にシート部材に装着でき、また、クリップの着脱も容易となる。
【発明の効果】
【００１５】
以上のように、本発明によれば、同方向に延設されて互いに対峙する一対の絶縁性のシート部材の一端部に、一方のクリップの対をなす挟持部を固定する第１のクリップ装着部を設け、一対のシート部材の他端部に、他方のクリップの対をなす挟持部を固定する第２のクリップ装着部を設け、それぞれのシート部材を第１のクリップ装着部から第２のクリップ装着部にかけて幾重にも折り重なる折畳片を連結して構成し、それぞれの折畳片に隣り合う折畳片同士を吸着する磁石を付設して構成するようにしたので、架空配電線への防具の取り付け作業を１人でも行うことができ、また、取り付ける電線の長さに応じてシート部材の長さを調節することが可能なり、防護具の取り付け作業が容易になると共に、効率的に作用を行うことが可能となる。
また、架空配電線の絶縁防護に寄与しない余長分が生じた場合でも、余長部分の折畳片を磁石で吸着させてまとめることができるので、格別な余長処理が必要でなく、余長処理を容易に行うことが可能となる。
【図面の簡単な説明】
【００１６】
【図１】図１は、本発明に係る伸縮式絶縁防護具を示す斜視図であり、一対のシート部材を伸長した状態を示す図である。
【図２】図２は、本発明に係る伸縮式絶縁防護具を示す斜視図であり、一対のシート部材を収縮させた状態を示す図である。
【図３】図３は、本発明に係る伸縮式絶縁防護具に用いられるシート部材を示す図であり、（ａ）は伸長させた状態を示す図であり、（ｂ）は収縮させた状態を示す図である。
【図４】図４は、本発明に係る伸縮式絶縁防護具を示す側面図であり、（ａ）は伸長させた状態を示す図であり、（ｂ）は収縮させた状態を示す図である。
【図５】図５は、本発明に係る伸縮式絶縁防護具を電線（引下げ線）に取り付けた状態を示す図であり、（ａ）は、伸縮式絶縁防護具を縮めた状態を示す図であり、（ｂ）は、伸縮式絶縁防護具の下端部のクリップを下方へ下げてシート部材を伸ばした状態を示す図である。
【図６】図６は、本発明に係る伸縮式絶縁防護具に用いる一対のクリップの変形例を示す図である。
【図７】図７は、図６のクリップを用いた伸縮式絶縁防護具の全体構成を示す斜視図である。
【図８】図８は、活線作業を行うにあたり、高圧引下線の中線に従来の絶縁シートを取り付けた状態を示す斜視図である。
【発明を実施するための形態】
【００１７】
以下、この発明の実施例を図面に基づいて説明する。
【００１８】
図１及び図２において、本発明に係る伸縮式絶縁防護具の構成例が示されている。
この伸縮式絶縁防護具１は、互いに対峙する絶縁性素材で構成された一対の長尺のシート部材２，３と、間に介在される被挟持物を挟み込む挟持力が常時付勢された対をなす挟持部を備える一対のクリップ４，５とを有して構成されている。
【００１９】
一対のシート部材２，３のそれぞれは、一端部に、一方のクリップ４の対をなす挟持部３０ａ，３１ａを固定する第１のクリップ装着部１０が設けられ、他端部に、他方のクリップ５の対をなす挟持部３０ａ，３１ａを固定する第２のクリップ装着部２０が設けられている。これらクリップ装着部１０，２０は、シート部材２，３に一体に設けられてクリップ４，５の挟持部３０ａ，３１ａを挿着する筒状体１１，２１によって構成されている。
【００２０】
それぞれのシート部材２，３は、図３及び図４にも示されるように、第１のクリップ装着部１０から第２のクリップ装着部２０にかけて幾重にも折り重なる折畳片２ａ，３ａを連結して構成されているもので、それぞれの折畳片２ａ，３ａには、隣り合う折畳片同士を吸着するための磁石６が付設されている。
【００２１】
特に、この例においては、隣り合う折畳片２ａ，３ａとの間のそれぞれに、折畳代８を形成し、この折畳代８によって、シート部材２，３を折り畳んだ際に、山部と谷部を交互に形成する頂部が形成されると共に、折り畳んだ際に隣り合う折畳片の間に間隙が形成されるようになっている。
【００２２】
そして、クリップ装着部１０，２０の筒状体１１，２１の外面とそれぞれの折畳片２ａ，３ａの外側には、薄板状の磁石６，７が付設されている。筒状体１１，２１に付設される磁石７は、筒状体１１，２１の折畳片に臨む対峙面（第１のクリップ装着部１０にあっては筒状体１１の下面、第２のクリップ装着部２０にあっては筒状体２１の上面）に固定され、各折畳片２ａ，３ａに付設される磁石７は、それぞれの折畳片２ａ，３ａの外面の谷部を構成する折畳代８寄りの位置に固定されている。それぞれの磁石５，６は、対峙する磁石同士が互いに吸着するような磁極に磁化されており、筒状体１１，２１に付設された磁石７と筒状体１１，２１に続く折畳片２ａ，３ａに付設された磁石６とは吸着されるようになっており、また、それ以降の隣り合う折畳片２ａ．３ａに付設された磁石５同士も吸着されるようになっている。これら磁石５の厚みは、折畳代８の略半分の厚みに形成されており、したがって、対峙した磁石同士が互いに吸着した状態においては、各折畳片２ａ，３ａが水平となるようになっている（図２参照）。
【００２３】
また、一対のシート部材２，３には、クリップ４，５の対をなす挟持部の基端側に近い側の側縁間に延出するヒダ２ｂ，３ｂが設けられている。このヒダ２ｂ，３ｂは、一方のシート部材２から延出されたヒダ２ｂと他方のシート部材３から延出されたヒダ３ｂとが重なり合うような長さに形成され（一方のシート部材２から延出されたヒダ２ｂが他方のシート部材３から延出されたヒダ３ｂの内側に配置されるような長さに形成され）、この例では、折畳代８を除く各折畳片２ａ，３ａの側縁に設けられている。
【００２４】
一対のクリップ４，５のそれぞれは、例えば硬質のプラスチック材料などで形成された対をなすクリップ片３０，３１と、これらクリップ片３０，３１をその略中間部で軸支する軸３２と、軸３２の位置でクリップ片３０，３１に外装された環状カバー３３とを備えている。それぞれのクリップ片３０，３１は、軸３２よりも先端側が挟持部３０ａ，３１ａを構成し、軸３２よりも基端側が操作部３０ｂ，３１ｂを構成している。
【００２５】
軸３２には、図示しないコイルばねが弾装され、その両端部がそれぞれ操作部３０ｂ、３１ｂの内側に延在しており、これにより操作部３０ｂ、３１ｂは、常時離反する方向に付勢され、また、前記挟持部３０ａ，３１ａは、互いに接近する方向に常時付勢されている。
【００２６】
各挟持部３０ａ、３１ａは、この例においては、それぞれ略直方体形状に形成されており、両者の互いに対向する内面には、これらの長さ方向に延設された凹部３０ｃ、３０ｄ；３１ｃ、３１ｄが形成されている。凹部３０ｃ、３１ｃは緩やかに湾曲した側面視で円弧状のくぼみに形成され、凹部３０ｄ、３１ｄは側面視で長方形状に形成されている。
【００２７】
操作部３０ｂ、３１ｂの互いに反対を向く外面には、ヤットコ等の間接活線把持具で把持される平坦なグリップ面３０ｆ，３１ｆが形成されている。これらのグリップ面３０ｆ，３１ｆは、挟持部３０ａ，３１ａが閉じた状態において略平行となるように形成されている。
【００２８】
以上の構成において、例えば、架空配電線としての引下げ線１０２に絶縁防護具１を取り付ける場合には、一対のシート部材２，３の第１のクリップ装着部１０の筒状体１１に一方のクリップ４の挟持部３０ａ，３１ａを挿入して第１のクリップ装着部１０に一方のクリップ４を固定し、第２のクリップ装着部２０の筒状体２１に他方のクリップ５の挟持部３０ａ，３１ａを挿入して第２のクリップ装着部２０に他方のクリップ５を固定する。
【００２９】
そして、一対のシート部材２，３を縮めた状態にして、上側のクリップ４の操作部３０ｂ，３１ｂをヤットコ等の間接活線把持具で把持してシート部材間に隙間を形成した状態にして引下げ線１０２の上端部へ近づけ、シート部材３を引下げ線１０２に沿わせつつ、引下げ線１０２を挟み込むようにしてシート部材２，３を引下げ線１０２の周囲に取り付ける（シート部材２，３の間に引下げ線１０２を側方から差し入れる）。
【００３０】
その後、上側のクリップ４の間接活線把持具による把持状態を解除し、下側のクリップ５の操作部３０ｂ、３１ｂを把持して一対のシート部材の下部を開き、引下げ線１０２を一対のシート部材の間に差し入れ、図５（ａ）に示されるような状態を形成する。
【００３１】
その後、下側のクリップ５の操作部３０ｂ、３１ｂを把持してクリップの挟持部３０ａ，３１ａによる一対のシート部材の挟持を緩め、下側のクリップ５を下方へ引き下げると、図５（ｂ）に示されるように、上側のクリップ４の位置は固定されたまま、吸着している互いの磁石６，７が離れて、シート部材２，３が伸長して引下げ線１０２を覆うことが可能となり、下側のクリップ５の固定位置を調整することで、引下げ線１０２の任意の範囲を絶縁防護することが可能となる。
【００３２】
また、絶縁防護具１を引下げ線１０２から取り外す場合には、上側または下側のクリップ４，５を間接活線把持具で把持して一方のクリップを開き、その状態でそのクリップを他方のクリップに向かって動かせば、シート部材２，３は、各折畳代を境に折り畳まれ、対向する磁石６，７が互いに吸着して収縮した状態を保持するようになる。そして、収縮した状態で、一方のクリップを操作部を把持して（挟持部を開いて）シート部材２，３と共に引下げ線１０２から取り外し、その後、他方のクリップを操作部を把持して（挟持部を開いて）シート部材２，３と共に引下げ線１０２から取り外せば、絶縁防護具１の取り外しは完了する。
【００３３】
したがって、伸ばしたい側のクリップ４，５を移動させることで、引下げ線１０２の覆いたい範囲を調節することができるので、絶縁防護具１の取り付け作業は一人でも行うことが可能となり、また、絶縁が必要となる電線の長さに応じてシート部材２，３の伸長量を調節することが可能となるので、絶縁防護具１が電線の長さに依存することがなくなる。このため、絶縁防護具１の取り付け作業が容易になると共に、絶縁防護具１を複数用意する必要がないことから、効率的に作用を行うことが可能となる。
【００３４】
また、一対のシート部材２，３を伸ばしきらずに引下げ線１０２の防護が可能である場合には、引下げ線１０２の絶縁防護に寄与しない余長部分が生じるが、この余長部分の折畳片２ａ，３ａは、磁石で吸着させてまとめておくことができるので、格別な余長処理が必要でなく、余長処理を容易に行うことが可能となり、また、決められた大きさの折畳片２ａ，３ａが折り畳まれてまとめられるので、余長部分をまとめ易く、且つ、見栄えもよいものとなる。
【００３５】
図６及び図７において、上述した構成の変形例が示されている。この例においては、上記一対のクリップ４，５が、伸縮可能な絶縁性の伸縮棒４０よって連結されている。
【００３６】
伸縮棒４０は、それぞれのクリップ４，５の対をなす挟持部３０ａ，３１ａの回動中心（クリップ片３０，３１の連結部３２）に取り付けられているもので、この例では、径が徐々に大きくなる小筒状体４１、中筒状体４２、大筒状体４３を順次摺接可能に重ね合わせた三重筒構造に形成されている。それぞれの筒状体は、ほぼ同じ長さに形成され、隣合う筒状体は、外側にくる筒状体にスリット４２ａ，４３ａが形成され、内側にくる筒状体にスリットに摺動可能に挿入されるピン４１ｂ，４２ｂが外周に形成されて、筒状体の抜けが防止されている。
【００３７】
伸縮棒４０は、図７にも示されるように、断面矩形に形成され、一対のシート部材２，３の挟持部３０ａ，３１ａの基端側に近い側（挟持部３０ａ，３１ａの回動中心側）の側縁間を塞ぐように設けられ、伸縮棒４０の断面の対角線が一対のシート部材の側縁間を結んだ仮想線に対して略平行となるように取り付けられている。
【００３８】
伸縮棒４０のクリップ４，５の連結部３２への固定は、各種構成が考えられるが、例えば、伸縮棒４０の端部に設けられた挿入部４５をクリップ４，５の連結部３２に形成された嵌合孔４８に嵌合させる場合において、伸縮棒４０の挿入部４５の外周面に弾性部材４６により径方向外側へ付勢された突出部４７を設け、これに対してクリップ４，５の連結部３２に形成された嵌合孔４８の内周面に、前記突出部４７を受ける凹部４９を設け、伸縮棒４０の挿入部４５をクリップ４，５の連結部３２の嵌合孔４８に挿入することで、突出部４７を凹部４９に係合させてワンタッチで固定するようにしている。
【００３９】
以上の構成においては、一対のクリップ４，５が、伸縮可能な絶縁性の伸縮棒４０によって連結されているので、クリップ４，５の移動方向を安定させることができ、シート部材２，３のスムーズな伸縮が可能となる。
また、伸縮棒４０は、断面矩形に形成され、一対のシート部材２，３のクリップ４，５の回動中心側の側縁間を塞ぐように取り付けられているので、図１で示したようなヒダ２ｂ，３ｂを敢えて設けなくても、クリップ４，５の回動中心側の側縁間の隙間を伸縮棒４０によって閉塞することができるので、挟み込んだ電線と間接活線工具などとの接触を防ぐことが可能となる。
【００４０】
なお、上述の構成例においては、引下げ線１０２に伸縮式絶縁防護具を設けた例を示したが、高圧架線などの他の架空配電線に同様に採用してもよい。
また、ヒダ２ｂ、３ｂをシート部材２，３のクリップの回動中心側の側縁にのみ設けた例を示したが、それぞれのシート部材において、両側縁にヒダを設けるようにしてもよい。このような構成において、筒状体１１，２１や磁石６，７の位置をシート部材の幅方向において略中央に配設することで、ヒダ２ｂ、３ｂの有無や磁石の位置等を合わせるためにシート部材の向きを調整する必要がなくなる。
【符号の説明】
【００４１】
１  伸縮式絶縁防護具
２，３  シート部材
２ａ，３ａ  折畳片
４，５  クリップ
６，７  磁石
１０  第１のクリップ装着部
２０  第２のクリップ装着部
１１，２１  筒状体
【図１】
2013192304.tif 000003
【図２】
2013192304.tif 000004
【図３】
2013192304.tif 000005
【図４】
2013192304.tif 000006
【図５】
2013192304.tif 000007
【図６】
2013192304.tif 000008
【図７】
2013192304.tif 000009
【図８】
2013192304.tif 000010